(57)【要約】      （修正有）【課題】撮像装置内蔵プロジェクタの操作性を向上する。【解決手段】プロジェクタ１は、投射部を収納した下ケース６と、この下ケース６上において水平方向に回動自在に配置されるとともに、撮影部を収納した上ケース８とを備え、下ケース６の外周面には、投射口を設け、上ケース８には撮影口４を設ける。また、下ケース６は上面が開口した円筒形とし、上ケース８は下面が開口した円筒形とする。【選択図】図１
2012220704.tif 000002
【特許請求の範囲】
【請求項１】
投射部を収納した下ケースと、前記下ケース上において水平方向に回動自在に配置されるとともに、撮影部を収納した上ケースとを備え、前記下ケースの外周面には投射口を設け、前記上ケースには撮影口を設けた撮像装置内蔵プロジェクタ。
【請求項２】
前記下ケースは上面が開口した円筒形とし、前記上ケースは下面が開口した円筒形とした請求項１に記載の撮像装置内蔵プロジェクタ。
【請求項３】
前記下ケースの外周面は、下方よりも上方が拡径した円筒形とし、前記上ケースの外周面は、下方よりも上方が縮径した円筒形とした請求項２に記載の撮像装置内蔵プロジェクタ。
【請求項４】
前記下ケースの外周面には、冷却風放出口を設け、前記上ケースの上面に集音口を設けた請求項３に記載の撮像装置内蔵プロジェクタ。
【請求項５】
前記下ケースの下面には、冷却取込口及びスピーカ放音口を設けた請求項４に記載の撮像装置内蔵プロジェクタ。
【発明の詳細な説明】
【技術分野】
【０００１】
本発明は、プレゼンテーションやテレビ会議などに活用される撮像装置内蔵プロジェクタに関するものである。
【背景技術】
【０００２】
この種撮像装置内蔵プロジェクタは、プレゼンテーションやテレビ会議などに活用されており、その構造は、以下のようになっていた。
すなわち、本体ケース内に投射部を収納させるとともに、この本体ケースには投射口を設け、また本体ケース外に、アーム形状の撮影部を設けていた（例えば下記特許文献１）。
【先行技術文献】
【特許文献】
【０００３】
【特許文献１】特開２００６−１３８９７２号公報
【発明の概要】
【発明が解決しようとする課題】
【０００４】
従来例において、テレビ会議を行うときには、本体ケース外に設けたアーム形状の撮影部を引き起こし、次に撮影部を発言者に向けることで、発言者の顔を撮影するようにしていた。
【０００５】
しかしながら、アーム形状の撮影部を引き起こし、その後、発言者の発言のたびに、その発言者に撮影部を向ける作業は実際の会議では手間のかかるもので、操作性の向上が求められていた。
【０００６】
そこで、本発明は、操作性の向上を図ることを目的とするものである。
【課題を解決するための手段】
【０００７】
そして、この目的を達成するために本発明は、投射部を収納した下ケースと、この下ケース上において水平方向に回動自在に配置されるとともに、撮影部を収納した上ケースとを備え、前記下ケースの外周面には、投射口を設け、前記上ケースには撮影口を設け、これにより所期の目的を達成するものである。
【発明の効果】
【０００８】
以上のごとく本発明は、投射部を収納した下ケースと、前記下ケース上において水平方向に回動自在に配置されるとともに、撮影部を収納した上ケースとを備え、前記下ケースの外周面には、投射口を設け、前記上ケースには撮影口を設けたものであるので、操作性の向上を図ることが出来る。
【０００９】
すなわち、本発明においては、例えば、テレビ会議において発言者が変わると、上ケースを回動させるだけで、その発言者に撮影部を向けることが出来、極めて操作性の良いものになるのである。
【図面の簡単な説明】
【００１０】
【図１】本発明の第１の実施形態を示す撮像装置内蔵プロジェクタの上方からの斜視図
【図２】同撮像装置内蔵プロジェクタの正面図
【図３】同撮像装置内蔵プロジェクタの断面図
【図４】同撮像装置内蔵プロジェクタの下面図
【図５】同撮像装置内蔵プロジェクタの下方からの斜視図
【図６】同撮像装置内蔵プロジェクタの下ケースの上方からの斜視図
【図７】同撮像装置内蔵プロジェクタの下ケースの上面図
【図８】同撮像装置内蔵プロジェクタの下ケースの断面図
【図９】同撮像装置内蔵プロジェクタの下ケースの正面図
【図１０】同撮像装置内蔵プロジェクタの上ケースと下ケースを切断した状態の斜視図
【図１１】同撮像装置内蔵プロジェクタの下ケースの上方からの斜視図
【図１２】同撮像装置内蔵プロジェクタの制御ブロック図
【発明を実施するための形態】
【００１１】
以下、本発明の一実施形態を、添付図面を用いて説明する。
【００１２】
（第１の実施形態）
図１において、本実施形態の撮像装置内蔵プロジェクタ１は、インターネット回線（図示せず）で接続した遠方の相手とテレビ会議を行っている状態を示している（相手方も撮像装置内蔵プロジェクタ１を使用中）。
【００１３】
すなわち、相手方の映像は、図４に示す投射口２から図１に示すスクリーン３に投射され、またこちら側の映像は、撮影口４から撮影され、インターネット回線（図示せず）を介して相手方に送信され、相手方において投射口２から図１と同様にスクリーン３に投射されている。
【００１４】
撮像装置内蔵プロジェクタ１は図２〜図４からも理解されるように、投射部５を収納した下ケース６と、この下ケース６上において水平方向に回動自在に配置されるとともに、撮影部７を収納した上ケース８によって構成されている。
【００１５】
下ケース６は上面が開口した円筒形となっており、また、上ケース８は下面が開口した円筒形となっている。
【００１６】
また、下ケース６の外周面は、下方よりも上方が拡径した円筒形となっており、このような形状の下ケース６の外周面に、投射口２を設け、この投射口２に対して投射部５が連結されている。
【００１７】
さらに、上ケース８の外周面は、下方よりも上方が縮径した円筒形となっており、このような形状の上ケース８の外周面に、撮影口４を設け、この撮影口４に対して撮影部７が連結されている。
【００１８】
また、下ケース６の外周面で、投射口２の近傍には、図５のごとく冷却風放出口９を設けており、さらに下ケース６の下面には、冷却取込口１０と、スピーカ放音口１１とを設けている。
【００１９】
つまり、図４に示す投射部５の送風機１２を駆動すると、冷却取込口１０から冷却風が下ケース６の投射部５内に取り込まれ、この投射部５を冷却したことで温風となった風は、冷却風放出口９から下ケース６外に放出される。
【００２０】
このとき、下ケース６外に放出される温風は、投射口２の近傍の冷却風放出口９から放出されるようにしているので、会議の参加者に不快感を与えることが少ない。
【００２１】
すなわち、投射口２の近傍にＴＶ会議の参加者が陣取ることはないので、その参加者に向けて温風が吹き付けられることがないのである。
【００２２】
また、投射部５においては、図７、図１１からも理解されるように、その上方に、冷却風放出口９へと温風を導く送風路１３を形成している。なお、図７、図１１は、送風路１３の説明のために、図６に示す投射部５の上面カバー１４を除いた状態を示したものである。
【００２３】
次に、下ケース６上において水平方向に回動自在に配置されるとともに、撮影部７を収納した上ケース８について説明する。
【００２４】
下ケース６の中心部分には、図７、図１０に示すように回転軸１５が立設され、この回転軸１５はこの立設状態で水平方向に回転自在となっている。
【００２５】
また、この回転軸１５の上部には、図６〜図１０に示すように、架台１６が一体化されている。
【００２６】
この架台１６は、水平方向に配置された中央の固定部１７が回転軸１５の上部に一体化され、その両側の上方への立上面１８に、撮影部７が角度調整つまみ１９で角度調整自在な状態で取り付けたれている。
【００２７】
また、上ケース８は図１０のごとく、その上面下から下方に延長された固定片２０を架台１６の固定部１７に固定することで、架台１６に一体化されている。
【００２８】
つまり、下ケース６の下面上に回転自在に配置された回転軸１５に架台１６を固定し、また、この架台１６に撮影部７と上ケース８を一体化させることで、上ケース８を水平方向に回転させれば、撮影部７も一体となって回転することになるのである。
【００２９】
つまり、図１で示したテレビ会議中において、相手方の映像を投射口２から図１に示すスクリーン３に投射した状態（つまり下ケース６は動かさない状態）で、こちら側の発言者が変わるときには、上ケース８を水平方向に回転させるだけで、その発言者に撮影口４、撮影部７を向けることが出来、極めて操作性の良いものとなる。
【００３０】
また、このときのこちら側の発言者の声は、上ケース８の上面に設けた集音口２１から図３に示すマイクロホン２２に集音されるようになっているので、上ケース８が発言者によって順次回転しても、発言者の声を効果的に集音することが出来る。
【００３１】
また、相手方の発言者の声は、下ケース６の下面下に設けたスピーカ放音口１１から放出されるが、上述のごとく、上ケース８の上面に集音口２１を設けているので、ハウリングの発生を抑制することが出来る。この点について、さらに説明すると、下ケース６の外周面は、上述のごとく、下方よりも上方が拡径した円筒形となっており、また上ケース８の外周面は、下方よりも上方が縮径した円筒形となっている。つまり異なる傾斜面としているので、その点からも下ケース６の下面下に設けたスピーカ放音口１１から放出される音が、上ケース８の上面に設けた集音口２１に回り込みにくく、これによって、ハウリングの発生を抑制する効果の高いものとなる。
【００３２】
また、下ケース６の外周面に設けた冷却風放出口９からの送風音も、下ケース６の外周面と、上ケース８の外周面に上述した傾斜を設けることで、上ケース８の上面に設けた集音口２１に回り込みにくく、これによって、音声のクリア度を阻害することも少なくなる。
【００３３】
なお、本実施形態においては、下ケース６の下面で、投射口２近傍とその後方に投射調
整用の上下脚２３を設けているので、その長さを調整することで、投射調整が行えるようになっている。
【００３４】
また、下ケース６の外周面には、電源供給端子２４を設けている。
【００３５】
なお、図１２は制御ブロック図を示しており、投射部５、撮影部７、送風機１２、マイクロホン２２、スピーカ放音口１１の内側に配置したスピーカ２５はいずれも制御部２６に接続されている。
【００３６】
また、制御部２６にはインターネットを介してテレビ会議を行うためのＩ／Ｆ部２７、電源供給端子２４に繋がる電源部２８が接続されている。
【００３７】
以上のごとく、本実施形態においては、例えば、テレビ会議において発言者が変わると、上ケース８を回動させるだけで、その発言者に撮影部７を向けることが出来、極めて操作性の良いものになる。
【００３８】
また、本実施形態の撮像装置内蔵プロジェクタ１は、投射部５を収納した下ケース６と、この下ケース６上において水平方向に回動自在に配置されるとともに、撮影部７を収納した上ケース８によって構成されているので、極めてコンパクトなものとなり、持ち運びも容易となる。
【産業上の利用可能性】
【００３９】
以上のごとく本発明は、投射部を収納した下ケースと、この下ケース上において水平方向に回動自在に配置されるとともに、撮影部を収納した上ケースとを備え、下ケースの外周面には、投射口を設け、上ケースには撮影口を設けたものであるので、操作性の向上を図ることが出来る。
【００４０】
すなわち、本発明においては、例えば、テレビ会議において発言者が変わると、上ケースを回動させるだけで、その発言者に撮影部を向けることが出来、極めて操作性の良いものになるのである。
【００４１】
したがって、プレゼンテーションやテレビ会議などに活用される撮像装置内蔵プロジェクタとしての活用が期待される。
【符号の説明】
【００４２】
１  撮像装置内蔵プロジェクタ
２  投射口
３  スクリーン
４  撮影口
５  投射部
６  下ケース
７  撮影部
８  上ケース
９  冷却風放出口
１０  冷却取込口
１１  スピーカ放音口
１２  送風機
１３  送風路
１４  上面カバー
１５  回転軸
１６  架台
１７  固定部
１８  立上面
１９  角度調整つまみ
２０  固定片
２１  集音口
２２  マイクロホン
２３  上下脚
２４  電源供給端子
２５  スピーカ
２６  制御部
２７  Ｉ／Ｆ部
２８  電源部
【図１】
2012220704.tif 000003
【図２】
2012220704.tif 000004
【図３】
2012220704.tif 000005
【図４】
2012220704.tif 000006
【図５】
2012220704.tif 000007
【図６】
2012220704.tif 000008
【図７】
2012220704.tif 000009
【図８】
2012220704.tif 000010
【図９】
2012220704.tif 000011
【図１０】
2012220704.tif 000012
【図１１】
2012220704.tif 000013
【図１２】
2012220704.tif 000014